(57)【特許請求の範囲】
【請求項１】
光源からの光を眼底に導く照明光学系と、
前記光源からの光を遮る遮光部材と、
前記眼底からの戻り光を撮影光学系を介して撮像する撮像手段と、
前記撮像手段により撮像された画像における測光領域を前記遮光部材の位置、大きさのいずれかに応じて変更する測光手段と、
前記測光領域の測光値に基づき前記光源の発光量を制御する制御手段と、を有することを特徴とする眼底カメラ。
【請求項２】
前記遮光部材は、前記照明光学系からの照明光の被検眼前眼部による反射光を除去するための大きさ可変の部材であることを特徴とする請求項１に記載の眼底カメラ。
【請求項３】
前記遮光部材は、前記照明光学系に切替可能に設けられた照明光の一部を遮る特性を有する部材であることを特徴とする請求項２に記載の眼底カメラ。
【請求項４】
前記遮光部材は、前記照明光学系から前記眼底にフォーカス指標を投影する投影手段であることを特徴とする請求項１に記載の眼底カメラ。
【請求項５】
前記投影手段は、前記照明光学系に挿脱可能に設けられたことを特徴とする請求項４に記載の眼底カメラ。
【請求項６】
前記遮光部材の位置、大きさのいずれかを変更する駆動手段と
を備え、
前記測光手段は前記駆動手段の出力信号に基づいて測光領域を変更することを特徴とする請求項１乃至５のいずれか一項に記載の眼底カメラ。
【請求項７】
前記光源は観察光源、撮影光源のいずれかであることを特徴とする請求項１乃至６のいずれか一項に記載の眼底カメラ。
【請求項８】
前記遮光部材は、水晶体バッフルであることを特徴とする請求項２または３に記載の眼底カメラ。
【請求項９】
光源からの光を眼底に導く照明光学系と、
前記光源からの光を遮る複数の大きさの水晶体バッフルと、
前記複数の大きさの水晶体バッフルを前記照明光学系に挿脱する駆動手段と、
前記眼底からの戻り光を撮影光学系を介して撮像する撮像手段と、
前記撮像手段により撮像された画像における測光領域を前記駆動手段の出力に応じて変更する測光手段と、
前記測光領域の測光値に基づき前記光源の発光量を制御する制御手段と、を有することを特徴とする眼底カメラ。
【発明の詳細な説明】
【技術分野】
【０００１】
本発明は、眼底カメラの照明光の光量制御に関するものであり、特に光量を制御するための測光領域に関する。
【背景技術】
【０００２】
従来の眼底カメラは、カラー撮影、可視蛍光撮影など撮影方法を変更する場合や、小瞳孔対応撮影、撮影倍率の変倍などをする場合に、それぞれに対応した規定値に光量が設定されるようになっている。
【０００３】
また、眼底からの戻り光を検出することにより、撮影光量を制御する技術も知られている。
【０００４】
このような制御技術として、乳頭径よりも広い間隔で複数個所の眼底反射光を受光し、乳頭部の影響を受けないように露光量を決定する眼底カメラが特許文献１に開示されている。
【０００５】
また、蛍光撮影で励起フィルターと濾過フィルターの光路への挿脱に応じて受光光量の基準値を変更する眼科検査装置が特許文献２に開示されている。
【先行技術文献】
【特許文献】
【０００６】
【特許文献１】特公平０３−０３２３６７号公報
【特許文献２】特開平０９−１３１３２１号公報
【発明の概要】
【発明が解決しようとする課題】
【０００７】
しかし、眼底カメラでは、瞳孔径の小さい被検眼の場合、照明光が眼底に達するように遮光部材を小さいものに切換える。この場合、角膜や水晶体の照明光の反射光がフレアとして眼底像の周辺に写り込んでしまう場合がある。また、遮光部材を切換えたことにより眼底像の明るさ分布が変化する場合がある。
【０００８】
また、フォーカス指標を眼底に投影し、ピント合わせする場合と、フォーカス指標を用いずにピント合わせする場合とで、眼底像の明るさ分布が異なる。そのためフォーカス指標の挿脱により、測光値が変動する場合がある。
【０００９】
そこで本発明は、測光領域を遮光部材の位置、大きさのいずれかに応じて変更することにより、光量制御の精度を上げることを目的とする。
【課題を解決するための手段】
【００１０】
上記目的を達成するために、眼底カメラは、光源からの光を眼底に導く照明光学系と、
前記光源からの光を遮る遮光部材と、
前記眼底からの戻り光を撮影光学系を介して撮像する撮像手段と、
前記撮像手段により撮像された画像における測光領域を前記遮光部材の位置、大きさのいずれかに応じて変更する測光手段と、
前記測光領域の測光値に基づき前記光源の発光量を制御する制御手段と、を有することを特徴とする。
【発明の効果】
【００１１】
本発明の眼底カメラは、測光領域を遮光部材の位置、大きさのいずれかに応じて変更することにより、光量制御の精度を上げることができる。
【図面の簡単な説明】
【００１２】
【図１】本発明を眼底カメラに適用した第一の実施例の構成図である。
【図２】フォーカス指標ユニットを示した図である。
【図３】眼底像とフォーカス指標像を示した図である。
【図４】フォーカス指標ユニットを光軸上から退避させたときの眼底像を示した図である。
【図５】被検眼の眼底を照明光により照明している様子を示した図である。
【図６】フォーカス指標ユニットが光軸から退避しているときの眼底像を示した図である。
【図７】被検眼の虹彩が縮瞳ときの眼底を照明光により照明している様子を示した図である。
【図８】虹彩が縮瞳しているときの眼底像を示した図である。
【図９】水晶体バッフルが小さいときの被検眼の眼底を照明光により照明している様子を示した図である。
【図１０】水晶体バッフルが小さいものに切り替えられたときの眼底像を示した図である。
【発明を実施するための形態】
【００１３】
以下に、本発明の実施の形態を添付の図面に基づいて詳細に説明する。
【実施例１】
【００１４】
図１は眼底カメラの構成図である。
【００１５】
被検眼Ｅに対向して、対物レンズ１が配置され、その光軸Ｌ１上には、撮影絞り２、フォーカスレンズ３、結像レンズ４が設けられている。また、可視光と赤外光に感度を有する撮像素子５から構成される撮像手段としてのセンサが設けられている。また、対物レンズ１から結像レンズ４により観察、撮影のための撮影光学系が構成されている。
【００１６】
また、撮影絞り２の付近には、穴あきミラー６が斜設されており、穴あきミラー６の反射方向の光軸Ｌ２上には、中心に遮光点を有する角膜バッフル７、レンズ８が配置されている。さらに、フォーカス指標ユニット９、レンズ１０、リング状のスリット開口を有するリングスリット１２が配置されている。また、光軸Ｌ２上には、大きさが切替可能な遮光点を有する遮光部材としての水晶体バッフル１１、赤外光を透過し可視光を反射する特性を有するダイクロイックミラー１３が配置されている。フォーカス指標ユニット９は、光軸Ｌ２に沿って移動可能かつ光軸Ｌ２上から挿脱可能となっている。また、対物レンズ１とレンズ８とレンズ１０により、角膜バッフル７、水晶体バッフル１１、リングスリット１２はそれぞれ、被検眼Ｅ角膜、水晶体後面、瞳孔Ｅｐと光学的に略共役な位置に配置されている。
【００１７】
ダイクロイックミラー１３の反射方向の光軸Ｌ３上には、コンデンサレンズ１４、可視のパルス光を発する撮影用光源であるストロボ光源１５が配置され、ダイクロイックミラー１３の透過方向の光軸Ｌ４上には、コンデンサレンズ１６、赤外の定常光を発する赤外ＬＥＤが複数個配置された観察光源である赤外ＬＥＤ１７が配置されている。これらの対物レンズ１からダイクロイックミラー１３、およびコンデンサレンズ１４、コンデンサレンズ１６により眼底を照明する照明光学系が構成されている。この照明光学系を介してストロボ光源１５、赤外ＬＥＤ１７の光が眼底に照明される。
【００１８】
以上の光学系は、本形態では、ひとつの筐体に保持され、眼底カメラ光学部を構成している。そして、眼底カメラ光学部は図示のない摺動台に載せられており、被検眼Ｅとの位置合せができるようになっている。
【００１９】
また、撮像手段としての撮像素子５の出力はＡ／Ｄ変換素子１８によりデジタル信号化され、メモリ１９に保存されるとともに、測光値算出手段２０に出力され、それぞれが装置全体の制御を行うＣＰＵなどの制御部２１に接続されている。制御部２１には画像メモリ２２が接続されており、撮像素子５で撮像された静止画像がデジタル画像として保存される。
【００２０】
さらに、撮像素子５で撮像された赤外観察像、可視撮影像などを表示するためのモニタ２３、撮像手段制御部２４が配置されている。
【００２１】
一方、ストロボ光源１５には撮影光源制の御手段２５が、赤外ＬＥＤ１７には観察光源の制御部２６が接続され、それらは共に制御部２１と制御用の信号をやり取りする。また、フォーカス指標ユニット９には光軸Ｌ２方向に移動しまた光軸Ｌ２から挿脱できるように駆動制御を行うことができるフォーカス指標の駆動制御部２７が接続され、水晶体バッフル１１には遮光点の大きさを切換える駆動制御を行う水晶体バッフルの駆動制御部２８が接続され、フォーカスレンズ３には光軸Ｌ１に沿って移動するように駆動制御を行うフォーカスレンズの駆動制御部２９が接続されており、それらは共に制御部２１と制御用の信号をやり取りする。
【００２２】
加えて、制御部２１にはフォーカス指標ユニット９の挿脱やと水晶体バッフル１１の大きさ切替などの条件を設定する操作手段３０と、撮影スイッチ３１が接続され制御部２１で制御される。
【００２３】
次に眼底カメラの作用について説明する。
【００２４】
赤外ＬＥＤ１７から射出した光は、コンデンサレンズ１６により集光され、ダイクロイックミラー１３を透過した後、リングスリット１２、水晶体バッフル１１によってリング状に光束が制限される。リング状光束に制限された光は、レンズ１０、レンズ８及び角膜バッフル７を介し、一度穴あきミラー６上にリングスリット１２の像を作り、かつ穴あきミラー６により光軸Ｌ１方向に反射される。そして、対物レンズ１によって被検眼Ｅの瞳孔Ｅｐ付近に再びリングスリット１２の像を作り、被検眼Ｅの眼底Ｅｒを照明する。このとき、被検眼Ｅの角膜付近には角膜バッフル７の像が、水晶体後面付近には水晶体バッフル１１の像が形成されている。
【００２５】
定常光を発する赤外ＬＥＤ１７からの光により照明された眼底Ｅｒからの戻り光（反射散乱した光束）は、瞳孔Ｅｐから被検眼Ｅを射出し、対物レンズ１、撮影絞り２、フォーカスレンズ３、結像レンズ４を介して、撮像素子５に達し撮像される。そして、Ａ／Ｄ変換素子１８によりデジタル信号化された後、撮像手段制御部２４を介してモニタ２３に眼底観察像が映出される。
【００２６】
ここで、図２は、フォーカス指標ユニット９の図である。
【００２７】
赤外ＬＥＤ３２から射出した光はプリズム３３により光軸Ｌ２方向に偏向される。そして、互いに反対方向に傾いている一対の微小プリズム３４により２方向の光束に分割される。分割された光束は、矩形状のスリット開口を有するフォーカス指標マスク３５により制限され、レンズ８に入射し、穴あきミラー６により反射され、対物レンズ１を介して被検眼Ｅの眼底Ｅｒへと導かれる。
【００２８】
図３は、モニタ２３に映し出された被検眼Ｅの眼底像３６とフォーカス指標像３７である。フォーカス指標像３７はフォーカス指標マスク３５により赤外ＬＥＤ１７によって眼底Ｅｒを照明する照明光の一部を遮られた暗部とフォーカス指標マスク３５の矩形状開口を通過した赤外ＬＥＤ３２からの光束による明部とが存在する。このようにフォーカス指標像３７は眼底像３６に投影されている。
【００２９】
検者は、モニタ２３に映出された眼底像３６を観察しながら、図示のない操作桿を使い、被検眼Ｅと眼底カメラ光学部との位置合せを行う。さらに、フォーカス指標像３７を観察し、図示の無いフォーカスノブを操作することによってフォーカス指標像３７が一直線となるように調整をする。
【００３０】
ここで、制御部２１は、フォーカス指標の駆動制御部２７の制御値に対応した位置に、フォーカスレンズの駆動制御部２９を制御して、フォーカスレンズ３の光軸方向の位置を駆動するようになっている。これにより、検者は、フォーカス指標像３７を一直線となるように調整することで、ピント合わせが完了する。
【００３１】
また、検者は、フォーカス指標像３７によって、被検眼Ｅの眼底像３６の一部が観察できない部分を観察したい場合には、操作手段３０により、フォーカス指標ユニット９を光軸Ｌ２上から退避させることができる。図４は、フォーカス指標ユニット９を光軸Ｌ２上から退避させたときのモニタ２３に映し出された眼底像３８を示した図である。
【００３２】
次に本実施例の観察光源である赤外ＬＥＤ１７と撮影光源であるストロボ光源１５の自動光量制御の方法について説明する。
【００３３】
はじめに、フォーカス指標ユニット９の光軸Ｌ２上への挿脱状態における自動光量制御について説明する。
【００３４】
赤外ＬＥＤ１７から射出した光は前述のごとく被検眼Ｅの眼底Ｅｒを照明し、その反射散乱光は、撮像素子５より構成される撮像手段である二次元センサに達し撮像され、Ａ／Ｄ変換素子１８によりデジタル信号化される。すると、測光値算出手段２０は、制御部２１からフォーカス指標ユニット９が光軸Ｌ２上にあるか否かの情報に応じて、測光領域を決定し、決定した測光領域から測光値を算出する。
【００３５】
制御部２１はその測光値を受け取り、基準値と比較することにより、制御値を算出し、観察像が適正な明るさとなるように赤外ＬＥＤ１７を観察光源の制御部２６によって制御する。
【００３６】
撮影スイッチ３１が押されると、制御部２１は、測光値の演算手段２０で算出された測光値と観察光源の制御部２６の制御値から、ストロボ光源１５で撮影した眼底像が適正な明るさとなるように、制御値を算出する。そして、フォーカス指標の駆動手段２７を制御しフォーカス指標ユニットを光軸Ｌ２から退避させ、撮影光源の制御部２５を制御し、ストロボ光源１５を発光させる。
【００３７】
ストロボ光源１５から射出した光は、コンデンサレンズ１４により集光され、ダイクロイックミラー１３で反射された後、水晶体バッフル１１、リングスリット１２によってリング状に光束が制限される。リング状光束に制限された光は、レンズ１０、レンズ８及び角膜バッフル７を介し、一度穴あきミラー６上にリングスリット１２の像を作り、かつ穴あきミラー６により光軸Ｌ１方向に反射され、対物レンズ１によって被検眼Ｅの瞳孔Ｅｐ付近に再びリングスリット１２の像を作り、被検眼Ｅの眼底Ｅｒを照明する。
【００３８】
ストロボ光源１５からの光により照明された眼底Ｅｒからの反射散乱した光束は、瞳孔Ｅｐから被検眼Ｅを射出し、対物レンズ１、撮影絞り２、フォーカスレンズ３、結像レンズ４を介して、撮像素子５に達し撮像され、Ａ／Ｄ変換素子１８によりデジタル信号化された後、画像メモリ２２に記憶される。
【００３９】
ところで、前述したように、検者が被検眼Ｅの眼底Ｅｒを観察中に、フォーカス指標像３７によって、被検眼Ｅの眼底像３６の一部が観察できない部分を観察したい場合、操作手段３０を操作することによりフォーカス指標ユニット９を光軸Ｌ２から退避させる。
【００４０】
このとき、図４の眼底像３８が観察される。測光値算出手段２０は、この眼底像３８から測光値を算出するとき、フォーカス指標ユニット９が光軸Ｌ２上にある場合にはフォーカス指標像３７による暗部や明部を除いた領域から測光値を算出する。しかし、フォーカス指標像３７がない場合には、広い範囲を測光領域とした方が測光精度が向上する。また、検者はフォーカス指標像３７で隠されていた部分を観察したいがために、フォーカス指標ユニット９を光軸Ｌ２から退避させているので、その部分も測光領域に加えるようになっている。
【００４１】
制御部２１は、測光値の算出手段２０からの測光値から赤外ＬＥＤ１７の発光量を観察光源の制御部２６によって制御し、再び、測光値の算出手段２０から出力される測光値と観察光源の制御部２６の制御値とから、ストロボ光源１５の制御値を算出し、撮影光源の制御部２５を制御し、ストロボ光源１５を発光し、眼底像を撮像する。
【００４２】
このように、赤外ＬＥＤ１７により照明された眼底は、フォーカス指標ユニット９が光軸Ｌ２上に挿入されているか、退避されているかによって、眼底像３６または眼底像３８のように、眼底像の明るさの分布が異なる。
【００４３】
そのため、測光値の演算手段２０はそれぞれに適した測光領域を決定し測光値を算出している。これにより、フォーカス指標ユニット９の挿脱状態によらず、精度の良い測光値が得られ、それを基に撮影光源の制御部２５を制御しストロボ光源１５を発光させ、良好な明るさの眼底像を得ることが可能となる。
【実施例２】
【００４４】
続いて、水晶体バッフル１１の大きさ切り替えに対応した自動光量制御について説明する。
【００４５】
図５は、被検眼Ｅの眼底を赤外ＬＥＤ１７またはストロボ光源１５から射出された照明光により照明している様子を示した図である。
【００４６】
被検眼Ｅの前眼部の角膜Ｅｃ付近には角膜バッフル７の像である角膜バッフル像３９が、水晶体Ｅｌの前面付近にはリングスリット１２の像であるリングスリット像４０が、水晶体Ｅｌの後面付近には水晶体バッフル１１の像である水晶体バッフル像４１が、それぞれ結像している。また、水晶体Ｅｌの水晶体前面近傍に虹彩Ｅｉがある。これらバッフルは被検眼Ｅの被検眼前眼部による反射光を除去するための大きさ可変の部材である。
【００４７】
これら角膜バッフル像３９、リングスリット像４０、水晶体バッフル像４１によって、被検眼Ｅの光学面での照明光の反射が発生しないようにし、角膜バッフル像３９、リングスリット像４０、水晶体バッフル像４１の間をぬけてきた図５の斜線部分で示した照明光４２により、眼底を照明している。
【００４８】
図６は、フォーカス指標ユニット９が光軸Ｌ２から退避しているときの眼底像４３を示した図である。
【００４９】
図７は、被検眼Ｅの虹彩Ｅｉが縮瞳してしまって、瞳孔径が小さくなったときの眼底を赤外ＬＥＤ１７またはストロボ光源１５から射出された照明光により照明している様子を示した図である。
【００５０】
虹彩Ｅｉが縮瞳し、図５における照明光４２は、図７の網目部分の照明光遮光部４４が発生し、眼底照明にムラが生じてしまい、眼底中心部分を照明できなくなってしまう。
【００５１】
図８は、虹彩Ｅｉが縮瞳しているときの眼底像４５を示した図である。
【００５２】
眼底像４５の中心の網目部分は虹彩Ｅｉにより遮光された照明光によって生じてしまった照明ムラ４６である。
【００５３】
このような場合、眼底像４５の中心を十分な明るさで観察、撮影できないため、検者により操作手段３０が操作されると、制御部２１は、水晶体バッフルの駆動制御部２８を駆動し、水晶体バッフル１１の大きさを切替える。一方、制御部２１は、駆動制御部２８の出力信号から光学系に挿入される水晶体バッフル１１の大きさを判断する。ここで光学系への挿入とは、光学系の光路少なくとも一部に部材が挿入されることをいうものとする。
【００５４】
図９は、水晶体バッフル１１が小さいものに切り替えられたときの被検眼Ｅの眼底を赤外ＬＥＤ１７またはストロボ光源１５から射出された照明光により照明している様子を示した図である。
【００５５】
水晶体バッフル１１を小さいものに切り替えたために、水晶体Ｅｌの水晶体後面付近には水晶体小バッフル像４７が結像している。これにより、角膜バッフル像３９、リングスリット像４０、水晶体小バッフル像４７及び虹彩Ｅｉの間をぬけてきた斜線部分で示した照明光４８により、眼底の中心が照明されるようになる。しかし、このとき、角膜バッフル像３９、リングスリット像４０、水晶体小バッフル像４７による照明光４８の影の領域が水晶体Ｅｌの水晶体後面付近で小さくなっている。このため、照明光４８の水晶体後面での反射光は、図５の場合に比べ、観察または撮影する眼底像に写り込んでしまう可能性が高くなる。
【００５６】
図１０は、水晶体バッフル１１が小さいものに切り替えられたときの被検眼Ｅ眼底像５０を示した図である。
【００５７】
図１０の斜線部分は、水晶体バッフル１１が小さいものに切り替えられたことにより、照明光４８の水晶体後面での反射光が眼底像５０の周辺部に写り込んだフレア５１である。
【００５８】
このように、被検眼Ｅの瞳孔Ｅｐが小さい場合、つまり虹彩Ｅｉが縮瞳している場合に、検者は操作手段３０を操作し、水晶体バッフル１１を小さいのに切り替える。
【００５９】
このとき、赤外ＬＥＤ１７から射出した光によって照明された眼底からの反射散乱光は撮像素子５に達し撮像され、Ａ／Ｄ変換素子１８によりデジタル信号化される。すると、測光値算出手段２０は、制御部２１から水晶体バッフル１１の大きさがどの状態であるかを水晶体バッフルの駆動制御部２８の駆動状態により判断し、水晶体バッフル１１が大きい場合には、図６の眼底像４３の領域を測光領域とし、水晶体バッフル１１が小さい場合には、図１０の眼底像５０からフレア５１の領域を除外した領域を測光領域として変更し、測光値を算出する。
【００６０】
制御部２１はその測光値を受け取り、基準値と比較することにより、制御値を算出し、観察像が適正な明るさとなるように赤外ＬＥＤ１７を観察光源の制御部２６によって制御する。
【００６１】
撮影スイッチ３１が押されると、制御部２１は、測光値の演算手段２０で算出された測光値と観察光源の制御部２６の制御値から、ストロボ光源１５で撮影した眼底像が適正な明るさとなるように、制御値を算出するとともに、フォーカス指標の駆動制御部２７を制御しフォーカス指標ユニットを光軸Ｌ２から退避させ、撮影光源制御部２５を制御し、ストロボ光源１５を発光させる。
【００６２】
ストロボ光源１５から射出した光は、コンデンサレンズ１４により集光され、ダイクロイックミラー１３で反射された後、水晶体バッフル１１、リングスリット１２によってリング状に光束が制限される。リング状光束に制限された光は、レンズ１０、レンズ８及び角膜バッフル７を介し、一度穴あきミラー６上にリングスリット１２の像を作り、かつ穴あきミラー６により光軸Ｌ１方向に反射され、対物レンズ１によって被検眼Ｅの瞳孔Ｅｐ付近に再びリングスリット１２の像を作り、被検眼Ｅの眼底Ｅｒを照明する。ストロボ光源１５からの光により照明された眼底Ｅｒからの戻り光（反射散乱した光束）は、瞳孔Ｅｐから被検眼Ｅを射出し、対物レンズ１、撮影絞り２、フォーカスレンズ３、結像レンズ４を介して、撮像素子５に達し撮像され、Ａ／Ｄ変換素子１８によりデジタル信号化された後、画像メモリ２２に記憶される。
【００６３】
このように、赤外ＬＥＤ１７により照明された眼底は、水晶体バッフルの駆動制御部２８の駆動状態により、眼底像４３または眼底像５０のように、眼底像の周辺にフレアが発生する頻度がことなる。そのため、測光値演算手段２０は、水晶体バッフル駆動制御部２８の駆動状態により、フレア５１が発生する頻度が高い領域を測光領域として使用するか否かを判断し、それぞれに適した測光領域を決定し測光値を算出している。これにより、被検眼Ｅの前眼部と光学的に共役な位置に配置された水晶体バッフル１１の大きさによらず、精度の良い測光値が得られ、その情報を基に撮影光源制御部２５を制御しストロボ光源１５を発光させ、良好な明るさの眼底像を得ることが可能となる。
【００６４】
実施例１では、赤外ＬＥＤ１７で照明された眼底像から、フォーカス指標ユニット９の光軸Ｌ２への挿脱状態により、測光領域を決定し測光値を算出し、実施例２では、赤外ＬＥＤ１７で照明された眼底像から、水晶体バッフル１１の大きさにより、測光領域を決定し測光値を算出したが、フォーカス指標ユニット９の光軸Ｌ２への挿脱状態と水晶体バッフル１１の大きさの両方の状態を考慮し、測光領域を決定し、測光値を算出することにより、様々な状況に適した測光が可能となり、より精度の高い観察光源である赤外ＬＥＤ１７の光量制御や撮影光源であるストロボ光源１５の光量制御が可能となる。
【００６５】
なお、本実施例では撮影光源をストロボ光源１５としているが、これに限らず、白色ＬＥＤなどの光源でもよい。
【符号の説明】
【００６６】
５  撮像素子
７  角膜バッフル
９  フォーカス指標ユニット
１１  水晶体バッフル
１５  ストロボ光源
１７  赤外ＬＥＤ
２０  測光値の算出手段
２１  制御部
２５  撮影光源の制御部
２６  観察光源の制御部
２７  フォーカス指標の駆動制御部
２８  水晶体バッフルの駆動制御部
２９  フォーカスレンズの駆動制御部
３０  操作手段
【図１】
0005539103.tif 000002
【図２】
0005539103.tif 000003
【図３】
0005539103.tif 000004
【図４】
0005539103.tif 000005
【図５】
0005539103.tif 000006
【図６】
0005539103.tif 000007
【図７】
0005539103.tif 000008
【図８】
0005539103.tif 000009
【図９】
0005539103.tif 000010
【図１０】
0005539103.tif 000011